(57)【要約】【課題】  十分な帯域が確保されている外部ネットワークから配信されてきたコンテンツを内部ネットワークに再配信する場合の帯域の不足を解消できるコンテンツ視聴システムの提供。【解決手段】  ゲートウェイは、入力されたコンテンツを、内部ネットワークの回線能力に応じて定められたビットレートのコンテンツに変換するコンテンツ変換部と、前記内部ネットワークに接続されたコンテンツ視聴端末からの要求に応じて、外部ネットワークからコンテンツを受信し、前記コンテンツ変換部にて変換したコンテンツを配信するコンテンツ配信部と、を備える。【選択図】  図１
2010206477.tif 000002
【特許請求の範囲】
【請求項１】
入力されたコンテンツを、内部ネットワークの回線能力に応じて定められたビットレートのコンテンツに変換するコンテンツ変換部と、
前記内部ネットワークに接続されたコンテンツ視聴端末からの要求に応じて、外部ネットワークからコンテンツを受信し、前記コンテンツ変換部にて変換したコンテンツを配信するコンテンツ配信部と、を備えたゲートウェイ。
【請求項２】
予め設定された録画予約に基づいて、外部ネットワークから受信したコンテンツを蓄積するコンテンツ蓄積部を備え、
前記コンテンツ配信部は、前記コンテンツ蓄積部からコンテンツ視聴端末からの要求されたコンテンツを取り出して、前記コンテンツ視聴端末に配信する請求項１のゲートウェイ。
【請求項３】
ユーザからのライセンス更新要求に基づいて、外部ネットワークに接続されたライセンスサーバとのライセンス更新処理を行い、前記ライセンスサーバから受信した復号鍵を含むライセンス情報を保存するライセンス管理部と、
録画対象のコンテンツが暗号化されている場合に、前記ライセンス管理部から復号鍵を取得して、コンテンツを復号した後、所定のローカル暗号を用いて暗号化するコンテンツ保護部と、を備える請求項２のゲートウェイ。
【請求項４】
前記コンテンツ保護部は、再生対象のコンテンツがローカル暗号化されている場合に、当該再生対象のコンテンツをコンテンツ視聴端末に送信する前に、コンテンツをローカル暗号にて復号した後、コンテンツ視聴端末に予め配布した第２の暗号を用いて暗号化する請求項３のゲートウェイ。
【請求項５】
前記コンテンツ変換部は、コンテンツ視聴端末から指定されたビットレートに基づいてビットレートの変換を行う請求項１から４いずれか一のゲートウェイ。
【請求項６】
コンテンツ配信部は、コンテンツ視聴端末が再生可能なネットワーク配信方式に変換してから再生対象のコンテンツを送信する請求項１から５いずれか一のゲートウェイ。
【請求項７】
請求項１から６いずれか一に記載のゲートウェイを含むホームネットワーク。
【請求項８】
請求項１から６いずれか一に記載のゲートウェイと、外部ネットワークを介して前記ゲートウェイにコンテンツを配信するコンテンツ配信サーバと、内部ネットワークを介して前記ゲートウェイからコンテンツを受信するコンテンツ視聴端末とを含むコンテンツ視聴システム。
【請求項９】
内部ネットワークに接続されたコンテンツ視聴端末からの要求に応じて、外部ネットワークからコンテンツを受信するステップと、
前記受信したコンテンツのビットレートを、内部ネットワークの回線能力に応じて定められたビットレートに変換するステップと、
前記変換したコンテンツを配信するステップと、を含むコンテンツ配信方法。
【請求項１０】
内部ネットワークに接続されたコンテンツ視聴端末からの要求に応じて、外部ネットワークからコンテンツを受信する処理と、
前記受信したコンテンツのビットレートを、内部ネットワークの回線能力に応じて定められたビットレートに変換する処理と、
前記変換したコンテンツを配信する処理と、をコンピュータに実行させるプログラム。
【発明の詳細な説明】
【技術分野】
【０００１】
本発明は、コンテンツ視聴システム、ゲートウェイ、コンテンツの配信方法及びプログラムに関し、特に、十分な帯域が確保されている外部ネットワークから配信されてきたコンテンツを内部ネットワークに再配信するゲートウェイ、該ゲートウェイを含んだコンテンツ視聴システム、コンテンツの配信方法及びプログラムに関する。
【背景技術】
【０００２】
ＩＰ（Ｉｎｔｅｒｎｅｔ  Ｐｒｏｔｏｃｏｌ）マルチキャストを使用してコンテンツを配信するＩＰＴＶが普及の兆しを見せている。今後は、家庭や企業内の内部ネットワーク（ホームネットワーク）上の複数の機器にてコンテンツを視聴するというような利用形態も増えてくると考えられる。
【０００３】
ＩＰＴＶに関するものではないが、特許文献１に、ＤＶＤ等のデジタル信号を再生する再生回路と、地上波デジタル放送等のデジタル信号を無線で入力する無線入力回路と、これらのデジタル信号から著作権管理情報が検出する著作権管理情報検出回路とを備え、他の機器へ、著作権管理情報が検出されたデジタル信号を出力する場合に、著作権管理情報を付加し、ホームネットワークの中継機器として機能するデジタル信号処理装置が開示されている。
【０００４】
また、特許文献２に、地上波デジタル放送等の受信機能と、ハードディスクに受信したコンテンツを録画する機能を備えた複数のＡＶ機器が仮想的に一台の情報処理装置として動作し、著作権対応コンテンツを複数の機器で録画し、複数の機器で視聴できるようにしたコンテンツ処理システムが開示されている。
【先行技術文献】
【特許文献】
【０００５】
【特許文献１】特開２００６−１２８９６３号公報
【特許文献２】特開２００５−２４４５７６号公報
【発明の概要】
【発明が解決しようとする課題】
【０００６】
例えば、ＩＰＴＶで配信されるハイビジョンのコンテンツのビットレートは１チャンネル当たり２５Ｍｂｐｓ近くになる場合もある。
【０００７】
ＩＰネットワーク上ではＩＰマルチキャストの配信に耐えられる十分な帯域が確保されているが、家庭や企業内等の内部ネットワーク（ホームネットワーク）では、そのような用途での使用が想定されていないことも多く、無線ＬＡＮが使用されている、古い規格のハブやケーブルが使われている等の理由により、上記高ビットレートのコンテンツの伝送に十分な帯域が確保できない場合がある。
【０００８】
さらに、上記のように家庭や企業内のネットワーク（内部ネットワーク）上の複数の機器にてコンテンツを同時に視聴するというような利用形態を考えた場合、ＩＰマルチキャストのパケットが内部ネットワーク内に複数配信されることになり、更に帯域を圧迫してしまうという問題点がある。
【０００９】
本発明は、上記した事情に鑑みてなされたものであって、その目的とするところは、十分な帯域が確保されている外部ネットワークから配信されてきたコンテンツを内部ネットワークに再配信する場合の上記帯域の不足を解消できるコンテンツ視聴システム、ゲートウェイ、コンテンツの配信方法及びプログラムを提供することにある。
【課題を解決するための手段】
【００１０】
本発明の第１の視点によれば、入力されたコンテンツを、内部ネットワークの回線能力に応じて定められたビットレートのコンテンツに変換するコンテンツ変換部と、前記内部ネットワークに接続されたコンテンツ視聴端末からの要求に応じて、外部ネットワークからコンテンツを受信し、前記コンテンツ変換部にて変換したコンテンツを配信するコンテンツ配信部と、を備えたゲートウェイが提供される。
【００１１】
本発明の第２の視点によれば、上記したゲートウェイを含んだホームネットワークが提供される。
【００１２】
本発明の第３の視点によれば、上記したゲートウェイと、外部ネットワークを介して前記ゲートウェイにコンテンツを配信するコンテンツ配信サーバと、内部ネットワークを介して前記ゲートウェイからコンテンツを受信するコンテンツ視聴端末とを含むコンテンツ視聴システムが提供される。
【００１３】
本発明の第４の視点によれば、内部ネットワークに接続されたコンテンツ視聴端末からの要求に応じて、外部ネットワークからコンテンツを受信するステップと、前記受信したコンテンツのビットレートを、内部ネットワークの回線能力に応じて定められたビットレートに変換するステップと、前記変換したコンテンツを配信するステップと、を含むコンテンツ配信方法が提供される。
【００１４】
本発明の第５の視点によれば、内部ネットワークに接続されたコンテンツ視聴端末からの要求に応じて、外部ネットワークからコンテンツを受信する処理と、前記受信したコンテンツのビットレートを、内部ネットワークの回線能力に応じて定められたビットレートに変換する処理と、前記変換したコンテンツを配信する処理と、をコンピュータに実行させるプログラムをコンピュータに実行させるプログラムが提供される。なお、このプログラムは、コンピュータが読み取り可能な記憶媒体に記録し、該記録媒体の読み取り手段を備えた任意のコンピュータにて実行させることができる。
【発明の効果】
【００１５】
本発明によれば、内部ネットワークに接続された機器にて高ビットレートのコンテンツ視聴する際における帯域の不足を解消することが可能となる。その理由は、ゲートウェイにコンテンツのビットレート変換機能を備えたことにある。
【図面の簡単な説明】
【００１６】
【図１】本発明の第１の実施形態の概略構成を表した図である。
【図２】本発明の第１の実施形態のホームゲートウェイの構成を表したブロック図である。
【図３】本発明の第１の実施形態のコンテンツ視聴端末の構成を表したブロック図である。
【図４】本発明の第１の実施形態のホームゲートウェイにおけるコンテンツ情報取得処理の流れを表した図である。
【図５】本発明の第１の実施形態ホームゲートウェイにおけるコンテンツ情報取得処理の別の流れを表した図である。
【図６】本発明の第１の実施形態のコンテンツ視聴端末におけるコンテンツ情報取得処理の流れを表した図である。
【図７】本発明の第１の実施形態におけるホームゲートウェイ設定画面表示処理の流れを表した図である。
【図８】本発明の第１の実施形態におけるライセンス更新処理の流れを表した図である。
【図９】本発明の第１の実施形態における録画予約処理の流れを表した図である。
【図１０】本発明の第１の実施形態における録画予約済みコンテンツ一覧表示処理の流れを表した図である。
【図１１】本発明の第１の実施形態における録画予約削除処理の流れを表した図である。
【図１２】本発明の第１の実施形態におけるコンテンツ録画処理の流れを表した図である。
【図１３】図１２に続くコンテンツ録画処理の流れ（暗号化コンテンツ）を表した図である。
【図１４】図１２に続くコンテンツ録画処理の流れ（非暗号化コンテンツ）を表した図である。
【図１５】本発明の第１の実施形態におけるコンテンツ録画停止処理の流れを表した図である。
【図１６】図１２〜図１５のコンテンツ録画処理の順序関係を表した図である。
【図１７】本発明の第１の実施形態における録画済みコンテンツ一覧表示処理の流れを表した図である。
【図１８】本発明の第１の実施形態におけるコンテンツ再生処理の流れを表した図である。
【図１９】図１８に続くコンテンツ再生処理の流れ（暗号化コンテンツ）を表した図である。
【図２０】図１８に続くコンテンツ再生処理の流れ（非暗号化コンテンツ）を表した図である。
【図２１】本発明の第１の実施形態におけるコンテンツ再生停止処理の流れを表した図である。
【図２２】図１８〜図２１のコンテンツ再生処理の順序関係を表した図である。
【図２３】本発明の第１の実施形態における録画済みコンテンツ削除処理の流れを表した図である。
【図２４】本発明の第２の実施形態におけるコンテンツ情報一覧表示処理の流れを表した図である。
【図２５】本発明の第２の実施形態におけるコンテンツ再生処理の流れを表した図である。
【図２６】図２５に続くコンテンツ再生処理の流れ（暗号化コンテンツ）を表した図である。
【図２７】図２５に続くコンテンツ再生処理の流れ（非暗号化コンテンツ）を表した図である。
【図２８】本発明の第２の実施形態におけるコンテンツ再生停止処理の流れを表した図である。
【図２９】図２４〜図２８のコンテンツ再生処理の順序関係を表した図である。
【発明を実施するための形態】
【００１７】
続いて、本発明の好適な実施形態について図面を参照して詳細に説明する。以下、家庭内のホームネットワークに接続されたゲートウェイ（ホームゲートウェイ）に、本発明を適用した実施形態を挙げて詳細に説明する。なお、本発明の原理からも明らかなように、本発明は、ホームゲートウェイ以外のゲートウェイに適用することが可能である。
【００１８】
［第１の実施形態］
図１は、本発明の第１の実施形態の概略構成を表した図である。図１を参照すると、ＩＰネットワーク８０とホームネットワーク２０とを接続するゲートウェイ（以下、「ホームゲートウェイ」と記す。）１０が示されている。ホームゲートウェイ１０は、コンテンツ視聴端末３０に配信するコンテンツのビットレートを変換するコンテンツ変換部１１１を備えている。
【００１９】
ホームネットワーク２０は、有線または無線のＬＡＮ（Ｌｏｃａｌ  Ａｒｅａ  Ｎｅｔｗｏｒｋ）等のホームネットワーク２０によって構成され、１台以上のコンテンツ視聴端末３０が接続されている。コンテンツ視聴端末３０には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル等の映像音声を伝送するケーブルを介して、コンテンツの出力先となるモニタ４０が接続されている。なお、コンテンツ視聴端末３０とモニタ４０は別の機器である必要は無く、モニタ４０を内蔵するコンテンツ視聴端末３０を用いることもできる。
【００２０】
ＩＰネットワーク８０には、コンテンツ配信サーバ５０と、コンテンツ情報サーバ６０と、ライセンスサーバ７０と、が接続されている。
【００２１】
なお、これらのホームゲートウェイ１０とコンテンツ視聴端末３０とコンテンツ配信サーバ５０とコンテンツ情報サーバ６０とライセンスサーバ７０は、プログラム制御により動作するコンピュータによって構成できる。
【００２２】
図２は、本発明の第１の実施形態のホームゲートウェイの構成を表したブロック図である。図２を参照すると、本実施形態のホームゲートウェイ１０は、ＩＰネットワーク８０に接続されている機器と通信するＩＰネットワーク通信部１０１と、ホームネットワーク２０に接続されている機器と通信するホームネットワーク通信部１０２とを備える。
【００２３】
また、本実施形態のホームゲートウェイ１０は、コンテンツ視聴端末３０からの録画予約要求を受信して保存するコンテンツ予約管理部１０４と、録画予約に基づいてコンテンツの蓄積を行うコンテンツ蓄積部１０９と、蓄積したコンテンツを圧縮するためにコンテンツを変換するコンテンツ変換部１１１と、コンテンツをコンテンツ視聴端末３０が視聴可能な形式にヘッダ等を付加して配信するコンテンツ配信部１１０とを備え、コンテンツ視聴端末３０に対し、コンテンツの録画および再配信機能を提供する。
【００２４】
さらに、本実施形態のホームゲートウェイ１０は、前記コンテンツの録画および再配信機能に関連し、受信したコンテンツのコンテンツ情報を解析するコンテンツ解析部１０５と、コンテンツ配信サーバ５０からＩＰマルチキャストで配信されるコンテンツ内に含まれるコンテンツ情報もしくはコンテンツ情報サーバ６０から取得するコンテンツ情報を蓄積するコンテンツ情報蓄積部１０３と、コンテンツ保護のため暗号化されたコンテンツの視聴に必用なライセンスを、ライセンスサーバ７０から取得し保存するライセンス管理部１０６と、蓄積したコンテンツのコンテンツ情報を保存するコンテンツ管理部１０７と、暗号化されたコンテンツを復号化し、蓄積と配信の際に再度暗号化を行うコンテンツ保護部１０８と、コンテンツ視聴端末３０からの本体設定画面の要求に対して本体設定画面ファイルを送信する本体設定部１１２とを備えている。
【００２５】
なお、上記したホームゲートウェイ１０の各構成要素はハードウェアで構成することもできるが、ホームゲートウェイ１０を構成するコンピュータに、後記する処理を実行させるプログラムによって実現することができる。
【００２６】
図３は、本発明の第１の実施形態のコンテンツ視聴端末の構成を表したブロック図である。図３を参照すると、本実施形態のコンテンツ視聴端末３０は、リモコン、キーボード、マウス等でユーザの操作を受け付けるユーザ操作部３０１と、ユーザ操作部３０１の操作に対する画面を描画する画面描画部３０２と、ホームネットワーク２０と接続されている機器と通信するホームネットワーク通信部３０４と、圧縮されたコンテンツを映像音声に解凍するコンテンツ解凍部３０６と、画面や映像音声をモニタ４０へ出力する映像音声出力部３０７とを備え、ユーザからの操作を受けてコンテンツを再生する機能を備えている。
【００２７】
さらに、本実施形態のコンテンツ視聴端末３０は、コンテンツ情報サーバ６０から取得するコンテンツ情報を蓄積するコンテンツ情報蓄積部３０３と、暗号化されたコンテンツを復号するコンテンツ保護部３０５とを備えているものとする。
【００２８】
続いて、本実施形態の動作について図面を参照して詳細に説明する。
［コンテンツ情報取得処理］
ホームゲートウェイ１０のコンテンツ情報取得処理について図４、図５を用いて説明する。図４は、コンテンツに付随して配信されたコンテンツ情報を取得する場合の流れを表しており、図５は、コンテンツ情報サーバ６０からコンテンツ情報を取得する場合の流れを表している。ここで、コンテンツ情報には、コンテンツ名、放送日、時間等が含まれるものとする。
【００２９】
はじめに図４を参照して、コンテンツ情報がコンテンツとして配信される場合について説明する。コンテンツ配信サーバ５０は、放送時間中、ＩＰマルチキャストを用いてＩＰネットワーク８０にコンテンツを常時配信する（ステップＡ１）。なお、コンテンツ配信サーバ５０が複数のチャンネルを同時に配信する場合は、コンテンツの配信（ステップＡ１）はチャンネル数だけ繰り返される（ステップＡ２）。
【００３０】
ホームゲートウェイ１０のコンテンツ情報蓄積部１０３は、一定時間毎にＩＰネットワーク通信部１０１にコンテンツ配信要求を行う（ステップＡ３）。ＩＰネットワーク通信部１０１はＩＰネットワーク８０にコンテンツ配信要求を送信する（ステップＡ４）。コンテンツ配信要求にはＩＧＭＰ（Ｉｎｔｅｒｎｅｔ  Ｇｒｏｕｐ  Ｍａｎａｇｅｍｅｎｔ  Ｐｒｏｔｏｃｏｌ）、ＭＬＤ（Ｍｕｌｔｉｃａｓｔ  Ｌｉｓｔｅｎｅｒ  Ｄｉｓｃｏｖｅｒｙ）等のプロトコルが用いられる。
【００３１】
コンテンツ配信要求で要求されたコンテンツは、ＩＰネットワーク８０のルータ等を介してホームゲートウェイ１０に配信される（ステップＡ５）。ＩＰネットワーク通信部１０１は、受信したコンテンツをコンテンツ解析部１０５に送信する（ステップＡ６）。
【００３２】
コンテンツ解析部１０５は、受信したコンテンツを解析して、コンテンツ名、放送日、時間等が含まれるコンテンツ情報を取り出す（ステップＡ７）。コンテンツ解析部１０５はコンテンツ情報をコンテンツ情報蓄積部１０３に送信する（ステップＡ８）。
【００３３】
コンテンツ情報蓄積部１０３は受信したコンテンツ情報を蓄積し（ステップＡ９）、ＩＰネットワーク通信部１０１にコンテンツ配信停止要求を行う（ステップＡ１０）。
【００３４】
ＩＰネットワーク通信部１０１は、ＩＰネットワーク８０にコンテンツ配信停止要求を送信する（ステップＡ１１）。コンテンツ配信停止要求にはＩＧＭＰ、ＭＬＤ等のプロトコルが用いられる。ＩＰネットワーク８０は、ホームゲートウェイ１０へのコンテンツの配信を停止する（ステップＡ１２）。
【００３５】
なお、コンテンツ配信サーバ５０がすべてのチャンネルのコンテンツ情報が含まれるコンテンツ情報専用コンテンツを配信している場合は、ホームゲートウェイ１０は１度だけステップＡ３からステップＡ１２を実行すればよい。一方、コンテンツ情報専用コンテンツが配信されていない場合は、ホームゲートウェイ１０は、すべてのチャンネルのコンテンツ情報を蓄積するまで、ステップＡ３からステップＡ１２を繰り返す（ステップＡ１３）。
【００３６】
続いて、図５を参照して、コンテンツ情報サーバ６０からコンテンツ情報取得する場合の処理について説明する。
【００３７】
図５を参照すると、ホームゲートウェイ１０のコンテンツ情報蓄積部１０３は一定時間毎にＩＰネットワーク通信部１０１にコンテンツ情報更新要求を行う（ステップＢ１）と、ＩＰネットワーク通信部１０１は、コンテンツ情報サーバ６０にコンテンツ情報取得要求を送信する（ステップＢ２）。コンテンツ情報取得要求にはＨＴＴＰ等のプロトコルが用いられる。
【００３８】
コンテンツ情報サーバ６０は、ホームゲートウェイ１０にコンテンツ情報を送信する（ステップＢ３）。ＩＰネットワーク通信部１０１は受信したコンテンツ情報をコンテンツ情報蓄積部１０３に送信する（ステップＢ４）。コンテンツ情報蓄積部１０３は受信したコンテンツ情報を蓄積する（ステップＢ５）。
【００３９】
続いて、コンテンツ視聴端末３０によるコンテンツ情報取得処理について図６を用いて説明する。図６を参照すると、コンテンツ視聴端末３０のコンテンツ情報蓄積部３０３は一定時間毎にホームネットワーク通信部３０４にコンテンツ情報更新要求を行う（ステップＣ１）と、ホームネットワーク通信部３０４はホームゲートウェイ１０にコンテンツ情報取得要求を送信する（ステップＣ２）。コンテンツ情報取得要求にはＨＴＴＰ等のプロトコルが用いられる。
【００４０】
ホームゲートウェイ１０はホームネットワーク通信部１０２で受信したコンテンツ情報取得要求をＩＰネットワーク通信部１０１に送信する（ステップＣ３）。ＩＰネットワーク通信部１０１は、コンテンツ情報取得要求をコンテンツ情報サーバ６０に送信する（ステップＣ４）。
【００４１】
コンテンツ情報サーバ６０は、ホームゲートウェイ１０に、要求されたコンテンツ情報を送信する（ステップＣ５）。ホームゲートウェイ１０のＩＰネットワーク通信部１０１は、受信したコンテンツ情報をホームネットワーク通信部１０２に送信する（ステップＣ６）。
【００４２】
ホームネットワーク通信部１０２は、コンテンツ情報をコンテンツ視聴端末３０に送信する（ステップＣ７）。コンテンツ視聴端末３０のホームネットワーク通信部３０４は受信したコンテンツ情報をコンテンツ情報蓄積部３０３に送信する（ステップＣ８）。コンテンツ情報蓄積部３０３は受信したコンテンツ情報を蓄積する（ステップＣ９）。
【００４３】
以上のようにして、ホームゲートウェイ１０およびコンテンツ視聴端末３０に蓄積されたコンテンツ情報は、定期的に更新され、ユーザに対し電子番組表等を提供することが可能となる。
【００４４】
［ホームゲートウェイ設定画面表示処理］
次に、ユーザが暗号化されたコンテンツの視聴ライセンスを取得するために、コンテンツ視聴端末３０に、ホームゲートウェイ１０の設定画面を表示させる処理について図７を用いて説明する。
【００４５】
コンテンツ視聴端末３０のユーザがユーザ操作部３０１を操作して、ホームゲートウェイ設定画面表示要求を行うと（ステップＤ１）、ユーザ操作部３０１は、画面描画部３０２にホームゲートウェイ設定画面表示要求を行う（ステップＤ２）。
【００４６】
画面描画部３０２は、ホームネットワーク通信部３０４にホームゲートウェイ設定画面表示要求を行う（ステップＤ３）。ホームネットワーク通信部３０４は、ホームゲートウェイ１０にホームゲートウェイ設定画面要求を送信する（ステップＤ４）。ホームネットワーク設定画面要求にはＨＴＴＰ等のプロトコルが用いられる。
【００４７】
ホームゲートウェイ１０は、ホームネットワーク通信部１０２で受信したホームゲートウェイ設定画面要求を本体設定部１１２に送信する（ステップＤ５）。本体設定部１１２は、ホームゲートウェイ設定画面ファイルをホームネットワーク通信部１０２に送信する（ステップＤ６）。ホームゲートウェイ設定画面はＸＭＬ（ｅＸｔｅｎｓｉｂｌｅ  Ｍａｒｋ−ｕｐ  Ｌａｎｇｕａｇｅ）等を用いて記述される。ホームネットワーク通信部１０２は、ホームゲートウェイ設定画面ファイルをコンテンツ視聴端末３０に送信する（ステップＤ７）。
【００４８】
コンテンツ視聴端末３０のホームネットワーク通信部３０４は、受信したホームゲートウェイ設定画面ファイルを画面描画部３０２に送信する（ステップＤ８）。画面描画部３０２はホームゲートウェイ設定画面を描画し（ステップＤ９）、映像音声出力部３０７に送信する（ステップＤ１０）。映像音声出力部３０７はホームゲートウェイ設定画面をモニタ４０に出力する（ステップＤ１１）。
【００４９】
［ライセンス更新処理］
続いて、図８を参照して、上記のようにホームゲートウェイ設定画面が表示されたコンテンツ視聴端末３０を操作して、ホームゲートウェイ１０が保有するコンテンツ保護のため暗号化されたコンテンツの視聴の視聴に必用なライセンスを更新する処理について説明する。
【００５０】
ユーザは、ホームゲートウェイ設定画面が表示されたコンテンツ視聴端末３０のユーザ操作部３０１を操作して、ライセンス更新情報入力を行う（ステップＥ１）と、ユーザ操作部３０１は、画面描画部３０２にライセンス更新情報を送信する（ステップＥ２）。
【００５１】
画面描画部３０２は、ホームネットワーク通信部３０４にライセンス更新情報を送信する（ステップＥ３）。ホームネットワーク通信部３０４は、ホームゲートウェイ１０にライセンス更新情報を送信する。（ステップＥ４）。ライセンス更新情報の送信にはＨＴＴＰＳ等のプロトコルが用いられる。
【００５２】
ホームゲートウェイ１０のホームネットワーク通信部１０２は、受信したライセンス更新情報をライセンス管理部１０６に送信する（ステップＥ５）。ライセンス管理部１０６は、ライセンス更新情報を基にＩＰネットワーク通信部１０１にライセンス更新要求を送信する（ステップＥ６）。
【００５３】
ＩＰネットワーク通信部１０１は、ライセンスサーバ７０にライセンス更新要求を送信する（ステップＥ７）。ライセンスサーバ７０は、ライセンス情報をホームゲートウェイ１０に送信する（ステップＥ８）。
【００５４】
ホームゲートウェイ１０のＩＰネットワーク通信部１０１は、受信したライセンス情報をライセンス管理部１０６に送信する（ステップＥ９）。ライセンス管理部１０６は、受信したライセンス情報を保存し、ライセンスを更新する（ステップＥ１０）。ライセンス管理部１０６は、ライセンス更新応答をホームネットワーク通信部１０２に送信する（ステップＥ１１）。ホームネットワーク通信部１０２は、ライセンス更新応答をコンテンツ視聴端末３０に送信する（ステップＥ１２）。
【００５５】
コンテンツ視聴端末３０は、ホームネットワーク通信部３０４で受信したライセンス更新応答を画面描画部３０２に送信する（ステップＥ１３）。画面描画部３０２はライセンス更新完了画面を描画し（ステップＥ１４）、映像音声出力部３０７に送信する（ステップＥ１５）。映像音声出力部３０７は、ライセンス更新完了画面をモニタ４０に出力する（ステップＥ１６）。
【００５６】
以上のようにして、コンテンツ視聴端末３０におけるライセンス更新処理が完了する。
【００５７】
［録画予約処理］
続いて、図９を参照して、コンテンツ視聴端末３０から、ホームゲートウェイ１０にＩＰマルチキャストで配信されるコンテンツの録画予約を行う処理について説明する。
【００５８】
図９を参照すると、ユーザがコンテンツ視聴端末３０のユーザ操作部３０１を操作して、コンテンツ情報一覧表示要求を行う（ステップＦ１）と、ユーザ操作部３０１は、画面描画部３０２にコンテンツ情報一覧表示要求を送信する（ステップＦ２）。
【００５９】
画面描画部３０２は、コンテンツ情報蓄積部３０３にコンテンツ情報一覧表示要求を行う（ステップＦ３）。コンテンツ情報蓄積部３０３は、蓄積しているコンテンツ情報を画面描画部３０２に送信する（ステップＦ４）。画面描画部３０２は、受信したコンテンツ情報からコンテンツ情報一覧画面を描画し（ステップＦ５）、映像音声出力部３０７に送信する（ステップＦ６）。コンテンツ情報一覧画面は電子番組表等の形式で描画される。映像音声出力部３０７は、コンテンツ情報一覧画面をモニタ４０に出力する（ステップＦ７）。
【００６０】
ユーザが、モニタ４０に出力されたコンテンツ情報一覧画面を参照して、ユーザ操作部３０１を操作し、録画予約を行うコンテンツを選択する（ステップＦ８）と、ユーザ操作部３０１は、選択されたコンテンツを画面描画部３０２に送信する（ステップＦ９）。
【００６１】
画面描画部３０２は、選択されたコンテンツの録画予約要求をホームネットワーク通信部３０４に送信する（ステップＦ１０）。ホームネットワーク通信部３０４は、ホームゲートウェイ１０に録画予約要求を送信する（ステップＦ１１）。録画予約要求にはＵＰｎＰＡＶ（Ｕｎｉｖｅｒｓａｌ  Ｐｌｕｇ  ａｎｄ  Ｐｌａｙ  Ａｕｄｉｏ  Ｖｉｓｕａｌ）等のプロトコルが用いられる。
【００６２】
ホームゲートウェイ１０は、ホームネットワーク通信部１０２で受信した録画予約要求をコンテンツ予約管理部１０４に送信する（ステップＦ１２）。コンテンツ予約管理部１０４は、録画予約要求で指定されたコンテンツが予約可能か確認する（ステップＦ１３）。録画予約が可能の場合、コンテンツ予約管理部１０４は録画予約要求で指定されたコンテンツのコンテンツ情報を保存する（ステップＦ１４）。コンテンツ予約管理部１０４は、ホームネットワーク通信部１０１に録画予約応答を送信する（ステップＦ１５）。ホームネットワーク通信部１０１は、コンテンツ視聴端末３０に録画予約応答を送信する（ステップＦ１６）。
【００６３】
コンテンツ視聴端末３０のホームネットワーク通信部３０４は、受信した録画予約応答を画面描画部３０２に送信する（ステップＦ１７）。画面描画部３０２は、録画予約結果画面を描画し（ステップＦ１８）、映像音声出力部３０７に送信する（ステップＦ１９）。映像音声出力部３０７は、録画予約結果画面をモニタ４０に出力する（ステップＦ２０）。
【００６４】
［予約済みコンテンツ一覧表示処理］
続いて、図１０を参照して、上記のようにして予約した予約済みコンテンツ一覧をコンテンツ視聴端末３０に表示する処理について説明する。
【００６５】
ユーザがコンテンツ視聴端末３０のユーザ操作部３０１を操作して、予約済みコンテンツ一覧表示要求を行う（ステップＧ１）と、ユーザ操作部３０１は、予約済みコンテンツ情報表示要求を画面描画部３０２に送信する（ステップＧ２）。
【００６６】
画面描画部３０２は、予約済みコンテンツ情報表示要求をホームネットワーク通信部３０４に送信する（ステップＧ３）。ホームネットワーク通信部３０４は、ホームゲートウェイ１０に予約済みコンテンツ一覧表示要求を送信する（ステップＧ４）。予約済みコンテンツ情報表示要求にはＵＰｎＰＡＶ等のプロトコルが用いられる。
【００６７】
ホームゲートウェイ１０のホームネットワーク通信部１０２は、受信した予約済みコンテンツ一覧表示要求をコンテンツ予約管理部１０４に送信する（ステップＧ５）。コンテンツ予約管理部１０４は、ホームネットワーク通信部１０２に予約済みコンテンツ一覧ファイルを送信する（ステップＧ６）。コンテンツ一覧ファイルはＸＭＬ等を用いて描画される。ホームネットワーク通信部１０２は、コンテンツ視聴端末３０に予約済みコンテンツ一覧ファイルを送信する（ステップＧ７）。
【００６８】
コンテンツ視聴端末３０のホームネットワーク通信部３０４は、受信した予約済みコンテンツ一覧ファイルを画面描画部３０２に送信する（ステップＧ８）。画面描画部３０２は予約済みコンテンツ一覧画面を描画し（ステップＧ９）、映像音声出力部３０７に送信する（ステップＧ１０）。映像音声出力部３０７は、予約済みコンテンツ一覧画面をモニタ４０に出力する（ステップＧ１１）。
【００６９】
［録画予約削除処理］
ユーザは、上記予約済みコンテンツ一覧画面を参照して、録画予約を取り消す（削除する）ことも可能である。以下、図１１を参照して、録画予約の削除する処理について説明する。
【００７０】
ユーザが、上記のようにして表示された予約済みコンテンツ一覧画面を参照して、コンテンツ視聴端末３０のユーザ操作部３０１を操作し、録画予約を削除するコンテンツを選択する（ステップＨ１）と、ユーザ操作部３０１は、録画予約削除要求を画面描画部３０２に送信する（ステップＨ２）。
【００７１】
画面描画部３０２は、録画予約削除要求をホームネットワーク通信部３０４に送信する（ステップＨ３）。ホームネットワーク通信部３０４は、ホームゲートウェイ１０に録画予約削除要求を送信する（ステップＨ４）。録画予約削除要求にはＵＰｎＰＡＶ等のプロトコルが用いられる。
【００７２】
ホームゲートウェイ１０のホームネットワーク通信部１０２は、受信した録画予約削除要求をコンテンツ予約管理部１０４に送信する（ステップＨ５）。コンテンツ予約管理部１０４は、録画予約削除要求で選択されたコンテンツの録画予約を削除する（ステップＨ６）。コンテンツ予約管理部１０４は、ホームネットワーク通信部１０２に録画予約削除応答を送信する（ステップＨ７）。ホームネットワーク通信部１０２は、コンテンツ視聴端末３０に録画予約削除応答を送信する（ステップＨ８）。
【００７３】
コンテンツ視聴端末３０のホームネットワーク通信部３０４は、受信した録画予約削除応答を画面描画部３０２に送信する（ステップＨ９）。画面描画部３０２は録画予約削除完了画面を描画し（ステップＨ１０）、映像音声出力部３０７に送信する（ステップＨ１１）。映像音声出力部３０７は、予約済み録画予約削除完了画面をモニタ４０に出力する（ステップＨ１２）。
【００７４】
［コンテンツ録画処理］
続いて、上記のようにしてユーザに登録された予約内容に基づいて、ホームゲートウェイ１０がコンテンツの録画を行う流れについて図１２、図１３、図１４を参照して説明する。
【００７５】
図１２を参照すると、コンテンツ配信サーバ５０はＩＰマルチキャストを用いてＩＰネットワーク８０に放送時間中はコンテンツを常時配信する（ステップＩ１）。コンテンツ配信サーバ５０が複数のチャンネルを同時に配信する場合は、コンテンツ配信サーバ５０は、ステップＩ１のコンテンツ配信処理をチャンネル数だけ繰り返す（ステップＩ２）。
【００７６】
ホームゲートウェイ１０のコンテンツ予約管理部１０４は、コンテンツの録画開始時間の直前にコンテンツ管理部１０７にコンテンツ録画開始通知を送信し（ステップＩ３）、ＩＰネットワーク通信部１０１にコンテンツ配信要求を行う（ステップＩ４）。ＩＰネットワーク通信部１０１は、ＩＰネットワーク８０にコンテンツ配信要求を送信する（ステップＩ５）。コンテンツ配信要求にはＩＧＭＰ、ＭＬＤ等のプロトコルが用いられる。
【００７７】
ＩＰネットワーク８０は、コンテンツ配信要求で要求されたコンテンツをホームゲートウェイ１０に配信する（ステップＩ６）。ＩＰネットワーク通信部１０１は、受信したコンテンツをコンテンツ解析部１０５に送信する（ステップＩ７）。コンテンツ解析部１０５は受信したコンテンツを解析し、コンテンツ名、放送日、時間、コンテンツのＩＰＴＶ暗号化の有無等が含まれるコンテンツ情報を取り出す（ステップＩ８）。ＩＰＴＶ暗号化方式にはＭａｒｌｉｎ−ＩＰＴＶ−ＥＳ（Ｍａｒｌｉｎ−ＩＰＴＶ−Ｅｎｄｐｏｉｎｔ  Ｓｅｒｖｉｃｅｓ）等が用いられる。コンテンツ解析部１０５は、コンテンツから取り出したコンテンツ情報をコンテンツ管理部１０７に送信する（ステップＩ９）。コンテンツ管理部１０３は、受信したコンテンツ情報を保存する（ステップＩ１０）。
【００７８】
図１３は、上記ステップＩ８のコンテンツの解析の結果、コンテンツが暗号化されている場合の動作を示し、図１４は、コンテンツが暗号化されていない場合の動作を示す。
【００７９】
はじめに図１３を参照してコンテンツが暗号化されている場合の動作について説明する。図１３を参照すると、コンテンツ解析部１０５は、コンテンツ暗号化通知をコンテンツ保護部１０８に送信する（ステップＪ１）。コンテンツ保護部１０８は、ライセンス管理部１０６に復号鍵要求を送信する（ステップＪ２）。ライセンス管理部１０６は、保存しているライセンス情報に含まれるコンテンツの復号鍵をコンテンツ保護部１０８に送信する（ステップＪ３）。コンテンツ保護部１０８は、コンテンツ解析部１０５に復号鍵取得通知を送信する（ステップＪ４）。
【００８０】
先に述べたように、ＩＰネットワーク８０は、コンテンツをホームゲートウェイ１０に配信し（ステップＪ５）、ＩＰネットワーク通信部１０１は、受信したコンテンツをコンテンツ解析部１０５に送信する（ステップＪ６）。
【００８１】
コンテンツ解析部１０５は、受信したコンテンツのコンテンツ情報を解析し、コンテンツ情報が更新されているか確認する（ステップＪ７）。コンテンツ情報が更新されていた場合、次のステップＪ８、ステップＪ９の処理を行う。コンテンツ解析部１０５は、コンテンツ情報をコンテンツ管理部１０７に送信する（ステップＪ８）。コンテンツ管理部１０７は、受信したコンテンツ情報を保存する（ステップＪ９）。
【００８２】
コンテンツ解析部１０５は、暗号化されたコンテンツをコンテンツ保護部１０８に送信する（ステップＪ１０）。コンテンツ保護部１０８は、暗号化されたコンテンツの復号化を行う（ステップＪ１１）。コンテンツ保護部１０８は、復号化したコンテンツを自身が保有する端末固有鍵でローカル暗号化を行う（ステップＪ１２）。コンテンツ保護部１０８は、ローカル暗号化されたコンテンツをコンテンツ蓄積部１０９に送信する（ステップＪ１３）。コンテンツ蓄積部１０９は、受信したコンテンツを蓄積する（ステップＪ１４）。
【００８３】
続いて図１４を参照してコンテンツが暗号化されていない場合の動作について説明する。図１４を参照すると、ＩＰネットワーク８０はホームゲートウェイ１０にコンテンツを配信し（ステップＫ１）、ＩＰネットワーク通信部１０１は、受信したコンテンツをコンテンツ解析部１０５に送信する（ステップＫ２）。
【００８４】
コンテンツ解析部１０５は受信したコンテンツのコンテンツ情報を解析し、コンテンツ情報が更新されているかを確認する（ステップＫ３）。コンテンツ情報が更新されていた場合、次のステップＫ４、ステップＫ５の処理を行う。コンテンツ解析部１０５は、コンテンツ情報をコンテンツ管理部１０７に送信する（ステップＫ４）。コンテンツ管理部１０７は、受信したコンテンツ情報を保存する（ステップＫ５）。
【００８５】
コンテンツ解析部１０５は、暗号化されていないコンテンツをコンテンツ蓄積部１０９に送信する（ステップＫ６）。コンテンツ蓄積部１０９は、受信したコンテンツを蓄積する（ステップＫ７）。
【００８６】
［コンテンツ録画停止処理］
続いて、図１５を参照して、録画予約に基づきコンテンツの録画を停止するコンテンツ録画停止処理について説明する。図１５を参照すると、ホームゲートウェイ１０のコンテンツ予約管理部１０４は、コンテンツの録画停止時間の直後にコンテンツ管理部１０７にコンテンツ録画終了要求を行う（ステップＬ１）。コンテンツ管理部１０７は、コンテンツ管理用の情報を保存し（ステップＬ２）、コンテンツ予約管理部１０４にコンテンツ録画終了応答を送信する（ステップＬ３）。
【００８７】
コンテンツ予約管理部１０４は、ＩＰネットワーク通信部１０１にコンテンツ配信停止要求を行う（ステップＬ４）。ＩＰネットワーク通信部１０１は、ＩＰネットワーク８０にコンテンツ配信停止要求を送信する（ステップＬ５）。コンテンツ配信停止要求にはＩＧＭＰ、ＭＬＤ等のプロトコルが用いられる。
【００８８】
ＩＰネットワーク８０は、コンテンツ配信停止要求で要求されたコンテンツの配信を停止する（ステップＬ６）。
【００８９】
ここで、図１６を用いて、上記図１２〜図１５のコンテンツ録画処理の順序関係を説明する。
【００９０】
図１６に示すとおり、コンテンツ録画処理は、図１２のステップＩ１からステップＩ９の処理を行った後、ステップＩ８で確認するコンテンツの暗号化の有無によって、分岐する。
【００９１】
コンテンツが暗号化されていた場合、図１３のステップＪ１からステップＪ４、ステップＪ５からステップＪ７の処理が行われる。ステップＪ７でコンテンツ情報が更新されていた場合、ステップＪ８、ステップＪ９の処理が行われる。その後、ステップＪ１０からステップＪ１４の処理が行われる。コンテンツ録画中は、ステップＪ５からステップＪ１４の処理が繰り返し行われる。
【００９２】
一方、コンテンツが暗号化されていない場合、図１４のステップＫ１からステップＫ３の処理が行われる。ステップＫ３でコンテンツ情報が更新されていた場合、ステップＫ４、ステップＫ５の処理が行われる。その後、ステップＫ６、ステップＫ７の処理が行われる。コンテンツ録画中は、ステップＫ１からステップＫ７の処理が繰り返し行われる。
【００９３】
図１３、図１４の一連の繰り返し処理中に、コンテンツの録画停止時間に到った場合、図１５のステップＬ１からステップＬ６の処理が行われて、一つの録画予約の処理が完了する。
【００９４】
［録画済みコンテンツ一覧表示処理］
続いて、図１７を参照して、コンテンツ視聴端末３０を操作して、ホームゲートウェイ１０に録画済みのコンテンツ一覧を表示する処理について説明する。
【００９５】
ユーザはコンテンツ視聴端末３０のユーザ操作部３０１を操作して、予約済みコンテンツ一覧表示要求を行う（ステップＭ１）と、ユーザ操作部３０１は、録画済みコンテンツ情報表示要求を画面描画部３０２に送信する（ステップＭ２）。
【００９６】
画面描画部３０２は、録画済みコンテンツ情報表示要求をホームネットワーク通信部３０４に送信する（ステップＭ３）。ホームネットワーク通信部３０４は、ホームゲートウェイ１０に録画済みコンテンツ一覧表示要求を送信する（ステップＭ４）。録画済みコンテンツ情報表示要求にはＤＬＮＡ（Ｄｉｇｉｔａｌ  Ｌｉｖｉｎｇ  Ｎｅｔｗｏｒｋ  Ａｌｌｉａｎｃｅ）等のプロトコルが用いられる。
【００９７】
ホームゲートウェイ１０のホームネットワーク通信部１０２は、受信した録画済みコンテンツ一覧表示要求をコンテンツ管理部１０７に送信する（ステップＭ５）。コンテンツ管理部１０７は、ホームネットワーク通信部１０２に録画済みコンテンツ一覧ファイルを送信する（ステップＭ６）。コンテンツ一覧ファイルはＸＭＬ等を用いて作成される。ホームネットワーク通信部１０２は、コンテンツ視聴端末３０に録画済みコンテンツ一覧ファイルを送信する（ステップＭ７）。
【００９８】
コンテンツ視聴端末３０のホームネットワーク通信部３０４は、受信した録画済みコンテンツ一覧ファイルを画面描画部３０２に送信する（ステップＭ８）。画面描画部３０２は録画済みコンテンツ一覧画面を描画し（ステップＭ９）、映像音声出力部３０７に送信する（ステップＭ１０）。映像音声出力部３０７は、録画済みコンテンツ一覧画面をモニタ４０に出力する（ステップＭ１１）。
【００９９】
［コンテンツ再生処理］
続いて、上記のようにして録画されたコンテンツをユーザが視聴する際の流れについて図１８、図１９、図２０を参照して説明する。
【０１００】
図１８を参照すると、ユーザが録画済みコンテンツ一覧画面を参照して、ユーザ操作部３０１を操作し再生するコンテンツとコンテンツを配信する際のビットレートを指定すると（ステップＮ１）、ユーザ操作部３０１は、画面描画部３０２にコンテンツ再生要求を送信する（ステップＮ２）。なお、ここで、ユーザが指定可能なビットレートは、ホームネットワークの回線能力に基づいて予め上限が定められているものとし、ユーザの指定したビットレートが上記上限値を超える場合は、上記上限のビットレートが適用されるものとする。
【０１０１】
画面描画部３０２は、コンテンツ再生要求をホームネットワーク通信部３０４に送信する（ステップＮ３）。ホームネットワーク通信部３０４は、ホームゲートウェイ１０にコンテンツ再生要求を送信する（ステップＮ４）。コンテンツ再生要求にはＤＬＮＡ等のプロトコルが用いられる。
【０１０２】
ホームゲートウェイ１０のホームネットワーク通信部１０２は、受信したコンテンツ再生要求をコンテンツ管理部１０７に送信する（ステップＮ５）。コンテンツ管理部１０７は、コンテンツ再生要求で選択されたコンテンツのコンテンツ情報を参照し、コンテンツのローカル暗号化の有無を確認する（ステップＮ６）。
【０１０３】
図１９は、上記ステップＮ６のコンテンツ情報の確認の結果、コンテンツがローカル暗号化されている場合の動作を示し、図２０は、コンテンツがローカル暗号化されていない場合の動作を示す。
【０１０４】
はじめに図１９を参照してコンテンツがローカル暗号化されている場合の動作について説明する。図１９を参照すると、ホームゲートウェイのコンテンツ管理部１０７がコンテンツ保護部１０８に鍵交換要求を行う（ステップＯ１）。コンテンツ保護部１０８は、コンテンツ視聴端末３０のコンテンツ保護部３０５と、ホームゲートウェイ１０とコンテンツ視聴端末３０がホームネットワーク２０を経由して配信されるコンテンツを暗号化するための共通鍵の鍵交換を行う（ステップＯ２）。ネットワーク暗号化と鍵交換のプロトコルにはＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）等が用いられる。
【０１０５】
鍵交換完了後、ホームゲートウェイ１０のコンテンツ保護部１０８は、コンテンツ管理部１０７に鍵交換完了通知を送信する（ステップＯ３）。コンテンツ管理部１０７は、コンテンツ配信部１１０にコンテンツ配信要求を送信する（ステップＯ４）。コンテンツ配信部１１０は、コンテンツ蓄積部１０９にコンテンツ送信要求を行う（ステップＯ５）。
【０１０６】
コンテンツ蓄積部１０９は、コンテンツ保護部１０８にローカル暗号化されたコンテンツを送信する（ステップＯ６）。コンテンツ保護部１０８は、受信したコンテンツのローカル暗号の復号化処理を行う（ステップＯ７）。
【０１０７】
ユーザがコンテンツ選択の際に指定したビットレートがコンテンツのビットレートより小さい場合、コンテンツの圧縮率の変更を行うため、ステップＯ８からステップＯ１０の処理が行われる。コンテンツ保護部１０８は、ローカル暗号が復号されたコンテンツをコンテンツ変換部１１１に送信する（ステップＯ８）。コンテンツ変換部１１１は、コンテンツの圧縮率を配信ビットレートに収まるように変換する（ステップＯ９）。コンテンツ変換部１１１は、圧縮率変換されたコンテンツをコンテンツ保護部１０８に送信する（ステップＯ１０）。
【０１０８】
コンテンツ保護部１０８は、ステップＯ２でコンテンツ視聴端末３０と鍵交換した鍵でコンテンツの暗号化を行う（ステップＯ１１）。コンテンツ保護部１０８は、暗号化されたコンテンツをコンテンツ配信部１１０に送信する（ステップＯ１２）。
【０１０９】
コンテンツ配信部１１０は、コンテンツをホームネットワーク配信方式に合わせてヘッダ等を付加する変換処理を行う（ステップＯ１３）。ホームネットワーク配信方式にはＤＬＮＡ等が用いられる。コンテンツ配信部１１０は、コンテンツをホームネットワーク通信部１０２に送信する（ステップＯ１４）。ホームネットワーク通信部１０２は、コンテンツをコンテンツ視聴端末３０に送信する（ステップＯ１５）。
【０１１０】
コンテンツ視聴端末３０のホームネットワーク通信部３０４は、受信したコンテンツをコンテンツ保護部３０５に送信する（ステップＯ１６）。コンテンツ保護部３０５は、受信したコンテンツをステップＯ２でホームゲートウェイ１０と鍵交換した鍵で復号化し（ステップＯ１７）、コンテンツ解凍部３０６に送信する（ステップＯ１８）。コンテンツ解凍部３０６は、圧縮されたコンテンツを映像音声に解凍し（ステップＯ１９）、映像音声出力部３０７に送信する（ステップＯ２０）。映像音声出力部３０７は、解凍された映像音声をモニタ４０に出力する（ステップＯ２１）。
【０１１１】
コンテンツ再生中は、上記図１９のステップＯ６からステップＯ２０の処理が繰り返し実行される。
【０１１２】
続いて図２０を参照してコンテンツがローカル暗号化されていない場合の動作について説明する。図２０を参照すると、コンテンツ管理部１０７は、コンテンツ配信部１１０にコンテンツ配信要求を送信する（ステップＰ１）。コンテンツ配信部１１０は、コンテンツ蓄積部１０９にコンテンツ送信要求を行う（ステップＰ２）。
【０１１３】
ユーザがコンテンツ選択の際に指定したビットレートがコンテンツのビットレートより小さい場合、コンテンツの圧縮率の変更を行うためステップＰ３からステップＰ５の処理が行われる。コンテンツ蓄積部１０９は、コンテンツをコンテンツ変換部１１１に送信する（ステップＰ３）。コンテンツ変換部１１１は、コンテンツの圧縮率を配信ビットレートに収まるように変換する（ステップＰ４）。コンテンツ変換部１１１は、圧縮率変換されたコンテンツをコンテンツ配信部１１０に送信する（ステップＰ５）。
【０１１４】
コンテンツを圧縮しない場合、コンテンツ蓄積部１０９は、コンテンツをコンテンツ配信部１１０に送信する（ステップＰ６）。
【０１１５】
コンテンツ配信部１１０は、ホームネットワーク配信方式に合わせて、上記ステップＰ５またはステップＰ６で受信したコンテンツにヘッダ等を付加する変換処理を行う（ステップＰ７）。ホームネットワーク配信方式にはＤＬＮＡ等が用いられる。コンテンツ配信部１１０は、コンテンツをホームネットワーク通信部１０２に送信する（ステップＰ８）。ホームネットワーク通信部１０２は、コンテンツをコンテンツ視聴端末３０に送信する（ステップＰ９）。
【０１１６】
コンテンツ視聴端末３０のホームネットワーク通信部３０４は、受信したコンテンツをコンテンツ解凍部３０６に送信する（ステップＰ１０）。コンテンツ解凍部３０６は、圧縮されたコンテンツを映像音声に解凍し（ステップＰ１１）、映像音声出力部３０７に送信する（ステップＰ１２）。映像音声出力部３０８は解凍された映像音声をモニタ４０に出力する（ステップＰ１３）。
【０１１７】
コンテンツ再生中は、上記図２０のステップＰ２からステップＰ１３の処理が繰り返し実行される。
【０１１８】
［コンテンツ再生停止処理］
続いて、図２１を参照して、コンテンツの再生を停止するコンテンツ再生停止処理について説明する。図２１を参照すると、ユーザがコンテンツ視聴端末３０のユーザ操作部３０１を操作し、再生停止要求を行う（ステップＱ１）と、ユーザ操作部３０１は、画面描画部３０２にコンテンツ再生停止要求を送信する（ステップＱ２）。
【０１１９】
画面描画部３０２は、コンテンツ再生停止要求をコンテンツ解凍部３０６に送信する（ステップＱ３）。コンテンツ解凍部３０６は、コンテンツの解凍を停止する（ステップＱ４）。コンテンツ解凍部３０６は、コンテンツ再生停止応答を画面描画部３０２に送信する（ステップＱ５）。画面描画部３０２は、配信停止要求をホームネットワーク通信部３０４に送信する（ステップＱ６）。ホームネットワーク通信部３０４は、ホームゲートウェイ１０に配信停止要求を送信する（ステップＱ７）。配信要求にはＤＬＮＡ等のプロトコルが用いられる。
【０１２０】
ホームゲートウェイ１０のホームネットワーク通信部１０２は、受信した配信停止要求をコンテンツ管理部１０７に送信する（ステップＱ８）。コンテンツ管理部１０７は、配信停止要求をコンテンツ配信部１１０に送信する（ステップＱ９）。コンテンツ配信部１１０は、コンテンツ送信停止要求をコンテンツ蓄積部１０９に送信する（ステップＱ１０）。コンテンツ蓄積部１０９は、コンテンツの送信を停止し、コンテンツ送信停止応答をコンテンツ配信部１１０に送信する（ステップＱ１１）。コンテンツ配信部１１０は、配信停止応答をコンテンツ管理部１０７に送信する（ステップＱ１２）。コンテンツ管理部１０７は、配信停止応答をホームネットワーク通信部１０２に送信する（ステップＱ１３）。ホームネットワーク通信部１０２は、コンテンツ視聴端末３０に配信停止応答を送信する（ステップＱ１４）。
【０１２１】
コンテンツ視聴端末３０のホームネットワーク通信部３０４は、受信した配信停止応答を画面描画部３０２に送信する（ステップＱ１５）。画面描画部３０２は再生停止画面を描画し（ステップＱ１６）、映像音声出力部３０７に送信する（ステップＱ１７）。映像音声出力部３０７は、再生停止画面をモニタ４０に出力する（ステップＱ１８）。
【０１２２】
ここで、図２２を用いて、上記図１８〜図２１のコンテンツ再生処理の順序関係を説明する。
【０１２３】
図２２に示すとおり、コンテンツ再生処理は、図１８のステップＮ１からステップＮ６の処理を行った後、ステップＮ６で確認するコンテンツのローカル暗号化の有無によって分岐する。
【０１２４】
コンテンツがローカル暗号化されていた場合、図１９のステップＯ１からステップＯ５、ステップＪ６、ステップＯ７の処理が行われる。コンテンツを圧縮する必要があるか否かの確認が行われ、コンテンツを圧縮する場合、ステップＯ８からステップＯ１０の処理が行われる。その後、ステップＪ１１からステップＪ２１の処理が行われる。コンテンツ再生中は、ステップＯ６からステップＯ２１の処理が繰り返し行われる。
【０１２５】
一方、コンテンツがローカル暗号化されていない場合、図２０のステップＰ１、ステップＰ２の処理が行われる。コンテンツを圧縮する必要があるか否かの確認が行われ、コンテンツを圧縮する場合、ステップＰ３からステップＰ５の処理が行われる。コンテンツを圧縮しない場合、ステップＰ６の処理が行われる。その後、ステップＰ７からステップＰ１３の処理が行われる。コンテンツ再生中は、ステップＰ１からステップＰ１３の処理が繰り返し行われる。
【０１２６】
図１９、図２０の一連の繰り返し処理中に、ユーザにより再生停止操作が行われた場合、図２１のステップＱ１からステップＱ１８の処理が行われて、コンテンツの再生が終了する。
【０１２７】
［録画済みコンテンツ削除処理］
続いて、図２３を参照して、コンテンツ視聴端末３０を操作して、ホームゲートウェイ１０に録画済みのコンテンツを削除する処理について説明する。
【０１２８】
ユーザは、録画済みコンテンツ一覧表示画面を参照してユーザが、ユーザ操作部３０１を操作し、削除するコンテンツを選択すると（ステップＲ１）、ユーザ操作部３０１は、コンテンツ削除要求を画面描画部３０２に送信する（ステップＲ２）。
【０１２９】
画面描画部３０２は、コンテンツ削除要求をホームネットワーク通信部３０４に送信する（ステップＲ３）。ホームネットワーク通信部３０４は、ホームゲートウェイ１０にコンテンツ削除要求を送信する（ステップＲ４）。コンテンツ削除要求にはＤＬＮＡ等のプロトコルが用いられる。
【０１３０】
ホームゲートウェイ１０のホームネットワーク通信部１０２は、受信したコンテンツ削除要求をコンテンツ管理部１０７に送信する（ステップＲ５）。コンテンツ管理部１０７は、コンテンツ蓄積部１０９にコンテンツ削除要求を行う（ステップＲ６）。コンテンツ蓄積部１０９は、コンテンツ削除要求で指定されたコンテンツを削除し（ステップＲ７）、コンテンツ管理部１０７にコンテンツ削除応答を送信する（ステップＲ８）。コンテンツ管理部１０７は、コンテンツ削除要求で指定されたコンテンツ情報を削除し（ステップＲ９）、ホームネットワーク通信部１０２にコンテンツ削除応答を送信する（ステップＲ１０）。ホームネットワーク通信部１０２は、コンテンツ視聴端末３０にコンテンツ削除応答を送信する（ステップＲ１１）。
【０１３１】
コンテンツ視聴端末３０のホームネットワーク通信部３０４は、受信したコンテンツ削除応答を画面描画部３０２に送信する（ステップＲ１２）。画面描画部３０２はコンテンツ削除完了画面を描画し（ステップＲ１３）、映像音声出力部３０７に送信する（ステップＲ１４）。映像音声出力部３０７はコンテンツ削除完了画面をモニタ４０に送信する（ステップＲ１５）。
【０１３２】
以上のように、本実施形態によれば、ホームネットワーク内の帯域がＩＰＴＶ視聴のために不足している場合でも、ＩＰネットワークとホームゲートウェイ間の帯域が確保できれば、ホームゲートウェイで、適宜コンテンツのビットレートを変換することで、ストレスを感じさせること無くＩＰＴＶを視聴させることが可能となる。このためには、ステップＮ１で、ユーザが視聴するコンテンツを選択する際に指定するビットレートは、ホームネットワークの回線能力や接続している端末数等に基づいて予め最適化されていることが望ましい。
【０１３３】
また、本実施形態によれば、視聴のためにライセンスを必要とするコンテンツを、複数のコンテンツ視聴端末で同時に視聴する場合に、これら端末台数分のライセンスは必要なく、１台分のライセンスで複数のコンテンツ視聴端末で同時視聴が可能な構成が提供される。
【０１３４】
さらに、本実施形態によれば、コンテンツ視聴端末はＩＰＴＶ視聴機能を備えなくてもよく、ＤＬＮＡ再生機能等のコンテンツ視聴機能を備えていればＩＰＴＶの視聴が可能となる。その理由は、コンテンツをＤＬＮＡ等のホームネットワーク配信方式に変換してから配信するよう構成したことにある。
【０１３５】
［第２の実施形態］
続いて、コンテンツ蓄積部へのコンテンツの蓄積をせずに、外部ネットワークからコンテンツを受信し、コンテンツ視聴端末に配信可能である本発明の第２の実施形態について図面を参照して詳細に説明する。
【０１３６】
なお、本実施形態では、ホームゲートウェイ１０にコンテンツの蓄積機能が実装されないため、図２のホームゲートウェイ１０の構成中のコンテンツ予約管理部１０４と、コンテンツ管理部１０７とコンテンツ蓄積部１０９は不要となる。その他の構成は、上記した第１の実施形態と同様であるので、以下、動作上の相違点を説明する。
【０１３７】
［コンテンツ一覧表示処理］
図２４を参照して、視聴するコンテンツを選択する際に、コンテンツ視聴端末３０にコンテンツ情報一覧画面の表示処理を説明する。なお、コンテンツ情報は、図６に例示した方法により予めコンテンツ視聴端末３０側に蓄積されているものとする。
【０１３８】
図２４を参照すると、ユーザが、コンテンツ視聴端末３０のユーザ操作部３０１を操作し、コンテンツ情報一覧表示要求を行うと（ステップＳ１）。ユーザ操作部３０１は、画面描画部３０２にコンテンツ情報一覧表示要求を送信する（ステップＳ２）。
【０１３９】
画面描画部３０２は、コンテンツ情報蓄積部３０３にコンテンツ情報一覧表示要求を行う（ステップＳ３）。コンテンツ情報蓄積部３０３は、蓄積しているコンテンツ情報を画面描画部３０２に送信する（ステップＳ４）。画面描画部３０２は、受信したコンテンツ情報からコンテンツ情報一覧画面を描画し（ステップＳ５）、映像音声出力部３０７に送信する（ステップＳ６）。コンテンツ情報一覧画面は電子番組表等の形式で描画される。
映像音声出力部３０７は、コンテンツ情報一覧画面をモニタ４０に出力する（ステップＳ７）。
【０１４０】
［コンテンツ再生処理２］
【０１４１】
図２５を参照すると、コンテンツ配信サーバ５０はＩＰマルチキャストを用いてＩＰネットワーク８０に放送時間中はコンテンツを常時配信する（ステップＴ１）。コンテンツ配信サーバ５０が複数のチャンネルを同時に配信する場合は、コンテンツ配信サーバ５０は、ステップＴ１のコンテンツ配信処理をチャンネル数だけ繰り返す（ステップＴ２）。
【０１４２】
ユーザが、コンテンツ視聴端末３０を操作し、上記したコンテンツ情報一覧画面からコンテンツ配信サーバ５０がコンテンツを配信しているチャンネルを選択すると（ステップＴ３）、ユーザ操作部３０１は、画面描画部３０２にチャンネル選局要求を送信する（ステップＴ４）。上記したコンテンツ情報一覧画面を表示せずに、ユーザがユーザ操作部３０１を操作し、直接視聴するチャンネルを選択することも可能である。また、チャンネル選択の際に、ユーザはコンテンツのビットレートを指定することも可能である。なお、ここで、ユーザが指定可能なビットレートは、ホームネットワークの回線能力に基づいて予め上限が定められているものとし、ユーザの選択したビットレートが上記上限値を超える場合は、上記上限のビットレートが適用されるものとする。
【０１４３】
画面描画部３０２は、ホームネットワーク通信部３０４にチャンネル選局要求を送信する（ステップＴ５）。ホームネットワーク通信部３０４は、ホームゲートウェイ１０にチャンネル選局要求を送信する（ステップＴ６）。
【０１４４】
ホームゲートウェイ１０のホームネットワーク通信部１０２は、受信したチャンネル選局要求をコンテンツ配信部１１０に送信する（ステップＴ７）。コンテンツ配信部１１０は、ＩＰネットワーク通信部１０１にチャンネル選局要求に対応するコンテンツ配信要求を行う（ステップＴ８）。ＩＰネットワーク通信部１０１は、ＩＰネットワーク８０にコンテンツ配信要求を送信する（ステップＴ９）。コンテンツ配信要求にはＩＧＭＰ、ＭＬＤ等のプロトコルが用いられる。
【０１４５】
ＩＰネットワーク８０は、コンテンツ配信要求で要求されたコンテンツをホームゲートウェイ１０に配信する（ステップＴ１０）。ＩＰネットワーク通信部１０１は、受信したコンテンツをコンテンツ解析部１０５に送信する（ステップＴ１１）。コンテンツ解析部１０５は受信したコンテンツを解析し、コンテンツのＩＰＴＶ暗号化の有無等が含まれるコンテンツ情報を取り出す。（ステップＴ１２）。ＩＰＴＶ暗号化方式にはＭａｒｌｉｎ−ＩＰＴＶ−ＥＳ等が用いられる。コンテンツ解析部１０５は、コンテンツ情報をコンテンツ配信部１１０に送信する（ステップＴ１３）。
【０１４６】
図２６は、上記ステップＴ１２のコンテンツ情報の確認の結果、コンテンツが暗号化されている場合の動作を示し、図２７は、コンテンツが暗号化されていない場合の動作を示す。
【０１４７】
はじめに図２６を参照してコンテンツが暗号化されている場合の動作について説明する。図２６を参照すると、コンテンツ配信部１１０は、コンテンツ暗号化通知をコンテンツ保護部１０８に送信する（ステップＵ１）。コンテンツ保護部１０８は、ライセンス管理部１０６に復号鍵要求を送信する（ステップＵ２）。ライセンス管理部１０６は、保存しているライセンス情報に含まれるコンテンツの復号鍵をコンテンツ保護部１０８に送信する（ステップＵ３）。
【０１４８】
コンテンツ保護部１０８は、コンテンツ視聴端末３０のコンテンツ保護部３０５と、ホームゲートウェイ１０とコンテンツ視聴端末３０がホームネットワーク２０を経由して配信されるコンテンツを暗号化するための共通鍵の鍵交換を行う（ステップＵ４）。ネットワーク暗号化と鍵交換のプロトコルにはＤＴＣＰ−ＩＰ等が用いられる。
【０１４９】
鍵交換完了後、ホームゲートウェイ１０のコンテンツ保護部１０８は、コンテンツ配信部１１０に鍵交換完了通知を送信する（ステップＵ５）。
【０１５０】
ＩＰネットワーク８０は、コンテンツをホームゲートウェイ１０に配信し（ステップＵ６）、ＩＰネットワーク通信部１０１は、受信したコンテンツをコンテンツ解析部１０５に送信する（ステップＵ７）。
【０１５１】
コンテンツ解析部１０５は受信したコンテンツのコンテンツ情報を解析し、コンテンツ情報が更新されているか確認する（ステップＵ８）。コンテンツ解析部１０５は、暗号化されたコンテンツをコンテンツ保護部１０８に送信する（ステップＵ９）。コンテンツ保護部１０８は、ステップＵ２でライセンス管理部１０６から取得した復号鍵を用いて、暗号化されたコンテンツの復号化を行う（ステップＵ１０）。
【０１５２】
ユーザがチャンネル選択の際に指定したビットレートがコンテンツのビットレートより小さい場合、コンテンツの圧縮率の変更を行うためステップＵ１１からステップＵ１３の処理を行う。コンテンツ保護部１０８は、復号されたコンテンツをコンテンツ変換部１１１に送信する（ステップＵ１１）。コンテンツ変換部１１１は、コンテンツの圧縮率を配信ビットレートに収まるように変換する（ステップＵ１２）。コンテンツ変換部１１１は、圧縮率変換されたコンテンツをコンテンツ保護部１０８に送信する（ステップＵ１３）。
【０１５３】
コンテンツ保護部１０８は、ステップＵ４でコンテンツ視聴端末３０と鍵交換した鍵でコンテンツの暗号化を行う（ステップＵ１４）。コンテンツ保護部１０８は、暗号化されたコンテンツをコンテンツ配信部１１０に送信する（ステップＵ１５）。コンテンツ配信部１１０は、コンテンツをホームネットワーク配信方式に合わせてヘッダ等を付加する変換を行う（ステップＵ１６）。ホームネットワーク配信方式にはＤＬＮＡ等が用いられる。コンテンツ配信部１１０は、コンテンツをホームネットワーク通信部１０２に送信する（ステップＵ１７）。ホームネットワーク通信部１０２は、コンテンツをコンテンツ視聴端末３０に送信する（ステップＵ１８）。
【０１５４】
コンテンツ視聴端末３０のホームネットワーク通信部３０４は、受信したコンテンツをコンテンツ保護部３０５に送信する（ステップＵ１９）。コンテンツ保護部３０５は、受信したコンテンツをステップＵ４でホームゲートウェイ１０と鍵交換した鍵で復号化し（ステップＵ２０）、コンテンツ解凍部３０６に送信する（ステップＵ２１）。
【０１５５】
コンテンツ解凍部３０６は、圧縮されたコンテンツを映像音声に解凍し（ステップＵ２２）、映像音声出力部３０７に送信する（ステップＵ２３）。映像音声出力部３０７は、受信した解凍された映像音声をモニタ４０に出力する（ステップＵ２４）。
【０１５６】
コンテンツ再生中は、上記図２６のステップＵ６からステップＵ２４の処理が繰り返し実行される。
【０１５７】
続いて図２７を参照してコンテンツが暗号化されていない場合の動作について説明する。図２７を参照すると、ＩＰネットワーク８０はコンテンツをホームゲートウェイ１０に配信し（ステップＶ１）、ＩＰネットワーク通信部１０１は、受信したコンテンツをコンテンツ解析部１０５に送信する（ステップＶ２）。
【０１５８】
コンテンツ解析部１０５は受信したコンテンツのコンテンツ情報を解析し、コンテンツ情報が更新されているかを確認する（ステップＶ３）。ユーザがコンテンツ選択の際に指定したビットレートがコンテンツのビットレートより小さい場合、コンテンツの圧縮率の変更を行うためステップＶ４からステップＶ６の処理を行う。コンテンツ解析部１０５は、コンテンツをコンテンツ変換部１１１に送信する（ステップＶ４）。コンテンツ変換部１１１は、コンテンツの圧縮率を配信ビットレートに収まるように変換する（ステップＶ５）。コンテンツ変換部１１１は、圧縮率変換されたコンテンツをコンテンツ配信部１１０に送信する（ステップＶ６）。
【０１５９】
コンテンツの圧縮を行わない場合、コンテンツ解析部１０５は、コンテンツをコンテンツ配信部１１０に送信する（ステップＶ７）。
【０１６０】
コンテンツ配信部１１０は、上記ステップＶ６またはステップＶ７で送信されたコンテンツをホームネットワーク配信方式に合わせてヘッダ等を付加する変換処理を行う（ステップＶ８）。ホームネットワーク配信方式にはＤＬＮＡ等が用いられる。コンテンツ配信部１１０は、コンテンツをホームネットワーク通信部１０２に送信する（ステップＶ９）。ホームネットワーク通信部１０２は、コンテンツをコンテンツ視聴端末３０に送信する（ステップＶ１０）。
【０１６１】
コンテンツ視聴端末３０のホームネットワーク通信部３０４は、受信したコンテンツをコンテンツ解凍部３０６に送信する（ステップＶ１１）。コンテンツ解凍部３０６は、圧縮されたコンテンツを映像音声に解凍し（ステップＶ１２）、映像音声出力部３０７に送信する（ステップＶ１３）。映像音声出力部３０７は受信した解凍された映像音声をモニタ４０に出力する（ステップＶ１４）。
【０１６２】
コンテンツ再生中は、上記図２７のステップＶ１からステップＶ１４の処理が繰り返し実行される。
【０１６３】
［コンテンツ再生停止処理２］
続いて、図２８を参照して、コンテンツの再生を停止するコンテンツ再生停止処理について説明する。図２８を参照すると、ユーザがコンテンツ視聴端末３０のユーザ操作部３０１を操作し、再生停止要求を行う（ステップＷ１）と、ユーザ操作部３０１は、画面描画部３０２にコンテンツ再生停止要求を送信する（ステップＷ２）。
【０１６４】
画面描画部３０２は、コンテンツ再生停止要求をコンテンツ解凍部３０６に送信する（ステップＷ３）。コンテンツ解凍部３０６は、コンテンツの解凍を停止する（ステップＷ４）。コンテンツ解凍部３０６は、コンテンツ再生停止応答を画面描画部３０２に送信する（ステップＷ５）。画面描画部３０２は、配信停止要求をホームネットワーク通信部３０４に送信する（ステップＷ６）。ホームネットワーク通信部３０４は、ホームゲートウェイ１０に配信停止要求を送信する（ステップＷ７）。配信要求にはＤＬＮＡ等のプロトコルが用いられる。
【０１６５】
ホームゲートウェイ１０のホームネットワーク通信部１０２は、受信した配信停止要求をコンテンツ配信部１１０に送信する（ステップＷ８）。コンテンツ配信部１１０は、コンテンツ送信停止要求をＩＰネットワーク通信部１０１に送信する（ステップＷ９）。ＩＰネットワーク通信部１０１は、コンテンツ送信停止要求をＩＰネットワーク８０に送信する（ステップＷ１０）。ＩＰネットワーク８０は、コンテンツの配信を停止する（ステップＷ１１）。コンテンツ配信部１１０は、配信停止応答をホームネットワーク通信部１０２に送信する（ステップＷ１２）。ホームネットワーク通信部１０２は、コンテンツ視聴端末３０に配信停止応答を送信する（ステップＷ１３）。
【０１６６】
コンテンツ視聴端末３０のホームネットワーク通信部３０４は、受信した配信停止応答を画面描画部３０２に送信する（ステップＷ１４）。画面描画部３０２は再生停止画面を描画し（ステップＷ１５）、映像音声出力部３０７に送信する（ステップＷ１６）。映像音声出力部３０７は、再生停止画面をモニタ４０に出力する（ステップＷ１７）。
【０１６７】
ここで、図２９を用いて、上記図２５〜図２８のコンテンツ再生処理の順序関係を説明する。
【０１６８】
図２９に示すとおり、コンテンツ情報一覧を表示する場合は、ステップＴ１の前にステップＳ１からステップＳ７の処理が行われる。
【０１６９】
コンテンツ再生処理は、図２５のステップＴ１からステップＴ１３の処理を行った後、ステップＴ１２で確認するコンテンツの暗号化の有無によって分岐する。
【０１７０】
コンテンツが暗号化されていた場合、図２６のステップＵ１からステップＵ５、ステップＵ６からステップＵ８の処理が行われる。ステップＵ８では、コンテンツ情報が更新されているか確認し、更新されたコンテンツ情報によりコンテンツが暗号化されていないことが判明した場合は、図２７のステップＶ１に移動する。
【０１７１】
上記ステップＵ８でコンテンツ情報が更新されていない、あるいは、コンテンツ情報が更新されていたがコンテンツが暗号化されている場合は、図２６のステップＵ９、ステップＵ１０の処理が行われる。コンテンツを圧縮する必要があるか否かの確認が行われ、コンテンツを圧縮する場合、ステップＵ１１からステップＵ１３の処理が行われる。その後、ステップＵ１４からステップＵ２４の処理が行われる。コンテンツ視聴中は、ステップＵ６からステップＵ２４の処理が繰り返し行われる。
【０１７２】
一方、コンテンツが暗号化されていない場合、図２７のステップＶ１からステップＶ３の処理が行われる。ステップＶ３では、コンテンツ情報が更新されているか確認し、更新されたコンテンツ情報によりコンテンツが暗号化されていることが判明した場合は、図２６のステップＵ１に移動する。
【０１７３】
上記ステップＶ３でコンテンツ情報が更新されていない、あるいは、コンテンツ情報が更新されていたがコンテンツが暗号化されていない場合は、コンテンツを圧縮する必要があるか否かの確認が行われ、コンテンツを圧縮する場合、図２７のステップＶ４からステップＶ６の処理が行われる。コンテンツを圧縮しない場合、ステップＶ７の処理が行われる。その後、ステップＶ８からステップＶ１４の処理が行われる。コンテンツ視聴中は、ステップＶ１からステップＶ１４の処理が繰り返し行われる。
【０１７４】
図２６、図２７の一連の繰り返し処理中に、ユーザにより再生停止操作が行われた場合、図２８のステップＷ１からステップＷ１７の処理が行われて、コンテンツの再生が終了する。
【０１７５】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した実施形態では、ＩＰネットワーク８０に、コンテンツ配信サーバ５０のほか、コンテンツ情報サーバ６０と、ライセンスサーバ７０とが接続されているものとして説明したが、コンテンツからコンテンツ情報を取得する場合は、コンテンツ情報サーバ６０を省略可能であるし、保護が不要なコンテンツを取り扱う場合には、ライセンスサーバ７０やホームゲートウェイ１０のライセンス管理機能やコンテンツ保護機能を省略することが可能である。
【符号の説明】
【０１７６】
１０  ホームゲートウェイ（ゲートウェイ）
２０  ホームネットワーク
３０  コンテンツ視聴端末
４０  モニタ
５０  コンテンツ配信サーバ
６０  コンテンツ情報サーバ
７０  ライセンスサーバ
８０  ＩＰネットワーク
１０１  ＩＰネットワーク通信部
１０２  ホームネットワーク通信部
１０３  コンテンツ情報蓄積部
１０４  コンテンツ予約管理部
１０５  コンテンツ解析部
１０６  ライセンス管理部
１０７  コンテンツ管理部
１０８  コンテンツ保護部
１０９  コンテンツ蓄積部
１１０  コンテンツ配信部
１１１  コンテンツ変換部
１１２  本体設定部
３０１  ユーザ操作部
３０２  画面描画部
３０３  コンテンツ情報蓄積部
３０４  ホームネットワーク通信部
３０５  コンテンツ保護部
３０６  コンテンツ解凍部
３０７  映像音声出力部
【図１】
2010206477.tif 000003
【図２】
2010206477.tif 000004
【図３】
2010206477.tif 000005
【図４】
2010206477.tif 000006
【図５】
2010206477.tif 000007
【図６】
2010206477.tif 000008
【図７】
2010206477.tif 000009
【図８】
2010206477.tif 000010
【図９】
2010206477.tif 000011
【図１０】
2010206477.tif 000012
【図１１】
2010206477.tif 000013
【図１２】
2010206477.tif 000014
【図１３】
2010206477.tif 000015
【図１４】
2010206477.tif 000016
【図１５】
2010206477.tif 000017
【図１６】
2010206477.tif 000018
【図１７】
2010206477.tif 000019
【図１８】
2010206477.tif 000020
【図１９】
2010206477.tif 000021
【図２０】
2010206477.tif 000022
【図２１】
2010206477.tif 000023
【図２２】
2010206477.tif 000024
【図２３】
2010206477.tif 000025
【図２４】
2010206477.tif 000026
【図２５】
2010206477.tif 000027
【図２６】
2010206477.tif 000028
【図２７】
2010206477.tif 000029
【図２８】
2010206477.tif 000030
【図２９】
2010206477.tif 000031